(57)【特許請求の範囲】
【請求項１】
自転車のフレームに設置された連動機構であって、該連動機構は自転車の左右ブレーキハンドルのブレーキワイヤに連動され、且つ、自転車の前後ブレーキ装置と連接して該自転車の前後ブレーキ装置を制御するための連動ワイヤを牽引して自転車の前後ブレーキ装置を制御するように構成され、且つ、前記連動機構は接触部品と該接触部品上をスライド自在に形成された駆動構成部品を有し、更に、該駆動構成部品には連動ワイヤを巻回するための接触部品が枢着されて成る自転車の同期ブレーキ装置に於いて、
前記連動機構の両側には夫々第１ガイド部品と、第２ガイド部品が設置されており、前記連動ワイヤは前記第１ガイド部品をまわり通った後、前記駆動構成部品の前記接触部品をまわり越し、更に、前記第２ガイド部品をまわり抜けるように設置されており、前記第１，２ガイド部品は前記連動ワイヤをガイドするもので、これにより前記連動ワイヤは前記自転車の前後ブレーキ装置から前記連動機構に連接する径路を固定的に保持することができ、且つ、前記連動ワイヤが受ける摩擦力を減少することができるように構成されて成り、前記連動ワイヤを巻回した接触部品が該連動ワイヤを作動するとき、該連動ワイヤは該接触部品上をローリング或いはスライドして該連動ワイヤの両端の制動力が自動的に平衡状態に至るまで該接触部品上でローリング或いはスライドして前後ブレーキ装置のブレーキ作動を一致させるように構成されたことを特徴とする自転車の同期平衡ブレーキ装置。
【請求項２】
上記自転車の同期平衡ブレーキ装置は、第２連動ワイヤを有し、該第２連動ワイヤは前記連動ワイヤと平行に形成され、その両端は夫々前記自転車の前後ブレーキ装置と連接し、且つ、前記接触部品に作動されて前記前後ブレーキ装置を牽引してブレーキ作用を発生させることができるように構成されたことを特徴とする請求項１記載の自転車の同期平衡ブレーキ装置。
【請求項３】
上記駆動構成機構は直線的にスライドできるスライド板で、該スライド板は前記ブレーキワイヤと連接し、前記ブレーキワイヤに作動されて、直線方向の移動を発生するように構成されたことを特徴とする請求項１記載の自転車の同期平衡ブレーキ装置。
【請求項４】
上記接触部品は滑車或いは円柱体で構成されたことを特徴とする請求項１記載の自転車の同期平衡ブレーキ装置。
【請求項５】
上記駆動構成機構はロッカーアームで形成され、該ロッカーアームの一端は前記ブレーキワイヤと連接していて、前記ブレーキワイヤに作動されて揺動作動を発生し、又、前記接触部品を設置しており、該接触部品は前記ロッカーアームに伴って同時に揺動し、且つ、前記連動ワイヤの中段部分とはローリング或いはスライディングの方式で接触しており、よって前記連動ワイヤを牽引し、該連動ワイヤは前記自転車の前後ブレーキを作動して、前記前後ブレーキ装置にブレーキ作用を発生させるように構成されたことを特徴とする請求項１記載の自転車の同期平衡ブレーキ装置。
【請求項６】
上記連動機構のロッカーアームには、伝動アームがあって、前記ブレーキワイヤと連接しており、更に、従動アームを有し、該従動アームは前記伝動アームに作動されて揺動し、前記接触部品は前記従動アームの末端に設置されていて前記従動アームに伴って同時に揺動し、前記連動ワイヤを作動してブレーキの作動を起させるように構成されたことを特徴とする請求項１又は５記載の自転車の同期平衡ブレーキ装置。
【請求項７】
上記連動機構の前記ロッカーアームは棒状体を呈していて、その中段部分は枢軸で前記自転車のフレームにピボットジョイントされており、その頂端は前記ブレーキワイヤと連接し、前記ブレーキワイヤの作動を受けることができ、又、前記接触部品は前記ロッカーアームの両端に設置されており、前記連動ワイヤは前記２接触部品を取りまいていて、前記２接触部品に作動され、よってその両端は中央に向かって引張られ、前記前後ブレーキ装置を作動してブレーキの作用を発生するように構成されたことを特徴とする請求項１又は５記載の自転車の同期平衡ブレーキ装置。
【発明の詳細な説明】
【０００１】
【発明の属する技術分野】
本発明は、自転車の同期平衡ブレーキ装置に関するものであり、特に、自転車がブレーキの作動時、前後車輪のブレーキ制動力が均衡で、且つ、ブレーキ作動の安定性を向上することができて、車輪の横滑り、尻尾振りを防止することができる自転車の同期平衡ブレーキ装置に関するものである。
【０００２】
【従来の技術】
従来の自転車のブレーキ装置の多くは左右ブレーキハンドルを利用してブレーキワイヤを連動し、連動されたブレーキワイヤは自転車の前後ブレーキ装置を駆動して自転車の前後車輪をブレーキし、車輪の転動を止めるものである。
【０００３】
然し乍ら、ブレーキ時、左右の手によって同時にブレーキを作動することをコントロールすることは不可能であるといえる。又、自転車の前後ブレーキ装置のワイヤのゆるみ程度も不同であるため、前後ブレーキ装置は同様に作動することができず、制動力の不均衡を来す。よって、前後車輪の中、一車輪はブレーキされ、一車輪は依然として転動している状況が発生する。この為、前後ブレーキは同期作動の要求を達することができない。かくして、自転車のブレーキ装置の性能を大幅に低減するばかりでなく、ブレーキされた車輪は地面に対して横滑りを起し、或いはブレーキ時の重心が不安定になって自転車が転覆することがある。
【０００４】
上述の前後ブレーキの作動時間が同期的に作動できない問題以外に、従来の自転車の大多数はキャリパー式の構造を採用している。然し乍ら、前記キャリパー式ブレーキ装置は左右のキャリパーが同時に作動しない場合がある上、両側のブレーキ制動力も不均衡である問題を有している。図１１は、従来のキャリパー式ブレーキ装置の構造を示す。従来のキャリパー式ブレーキ装置６０は、左右キャリパー６１，６２を含んでいる。前記左右キャリパー６１，６２の頂端は牽引ワイヤ６３を連接している。連動ワイヤ６４の末端には鉄片で折り曲げた鈎６５が設置されている。該鈎６５は前記牽引ワイヤ６３を引掛することができるので、前記牽引ワイヤ６３は前記鈎６５に連動され、更に、前記左右のキャリパー６１，６２を駆動してブレーキの作動を来すことができる。
【０００５】
然して、一般的に自転車が走行している時、リム自体幾分偏っている上、リムの表面も少し粗製による不平現象があって、更に、自転車が走行している時、地面が平坦でないためにリムが左右に揺れる状態を来し、この為、ブレーキした時、ブレーキキャリパー両側のブレーキライニングがリムと接触する時間に多少の誤差がおきることは必定である。よって、同時にリムに接触することができないばかりでなく、リムに加える圧力も不均一である。この為、自転車のブレーキ装置はブレーキをかけた時、必ず自動的に左右キャリパー６１，６２と自転車のリムとの接触時間を調整することができなければならない。さもなければ、ブレーキをかけたとき、只一方のブレーキキャリパーが自転車のリムと接触することが起きて、リム左右側の接触圧力が不均衡を来し不安定の状態が発生するものである。よって、ブレーキの制動効果を大いに低減し、短時間に車輪をブレーキすることができない上、容易に自転車の車輪の横滑り現象を来し、自転車はこれが故に容易に滑りころげる現象が生じ、危険状態の発生を来すことになる。
【０００６】
然るに、従来の自転車のブレーキ装置は前記牽引ワイヤと鈎６５の間の摩擦力が相当に大きい故、若し、左右キャリパー６１，６２と自転車のリムとの接触時間が不一致或いは接触圧力が不均一であったならば、前記牽引ワイヤ６３は鈎６５の制限を受け、鈎６５との相対滑り運動が円滑にできない。この為、根本的に左右キャリパー６１，６２の作動時間と接触圧力は自動的に構成することができない。よって、極めて容易に自転車のブレーキ制動力に不足をきたし、車輪は容易に横滑りを起こし、尻尾振りの現象が生じるのである。
【０００７】
【発明が解決しようとする課題】
本発明の解決しようとする課題は自動平衡の機能を具有し、有効的に自転車の前後車輪のブレーキ装置を同時にブレーキできる自転車の同期平衡ブレーキ装置である。
【０００８】
【課題を解決するための手段】
本発明は前記の課題を解決する手段として、連動機構と該連動機構の牽引を受けて自転車の前後ブレーキ装置を作動して、ブレーキの制動作用を発生させることができる連動ワイヤを主体とした自転車の同期平衡ブレーキ装置で、前記連動機構は駆動構成部品を具有し、該駆動構成部品には接触部品が設置されていて、前記連動ワイヤとスライディング或いはローリングの方式で接触して、前後ブレーキ装置を作動してブレーキの制動作用を発生させるように構成している。更に、前記連動機構の両側には夫々第１ガイド部品と第２ガイド部品が設置されていて、前記連動ワイヤをガイドして前後ブレーキ装置との連接径路間を固定的に保持することができる。よって、前記前後ブレーキ装置の作動時間を一致させることができる自転車の同期平衡ブレーキ装置が創作され、発明の課題を解決する手段の自転車の同期平衡ブレーキ装置を提供するものである。
【０００９】
【発明の実施の形態】
図１は本発明の自転車の同期平衡ブレーキ装置の第１の実施の形態を示す。本発明は、主として連動機構１０があって、自転車のフレーム上に設置されており、更に、連動ワイヤ２０があって自転車の前後ブレーキ装置と連接していて、自転車の前後ブレーキを作動し制動作用を行うことができるように構成されている。
【００１０】
図２に示す如く、本発明の同期平衡ブレーキ装置の連動機構１０は、自転車１のフレームの適当な位置に設置することができる。且つ、自転車の左右ブレーキハンドル２，３のブレーキワイヤ５１Ａ，５２Ａに連動されて、前記連動ワイヤ２０を牽引し、前記連動ワイヤ２０は牽引された後、前記自転車の前後ブレーキ装置３０，４０を作動する。
【００１１】
又、前記連動機構１０は接触部品１２及び駆動構成部品１３を具有している。前記駆動構成部品１３はスライド板で上下にスライドできるように前記接触部１２に設置されている。又、その頂端は前記ブレーキワイヤ５１Ａ，５２Ａと連接していて、前記駆動構成部品１３は斯くして作動されることができる。更に、接触部品１１が前記駆動構成部品１３に設置され、且つ、前記連動ワイヤ２０の中段部分と接触し、前記連動ワイヤ２０の中段部分を上向きに牽引する。よって、前記連動ワイヤ２０の両端は内向きに引っ張られて前記自転車の前後ブレーキ装置を作動して、ブレーキの制動作用を発生する構成となっている。
【００１２】
前記前部接触部品１１は、ローリングホイールで、前記連動ワイヤ２０とローリング或いはスライディングの方式で接触することができる。よって、前記接触部品１１が前記連動ワイヤ２０を作動した時、若し、前記連動ワイヤ２０の両端の牽引力が不均一であった場合、或いは前記前後ブレーキ装置３０，４０の中、一方が既に車輪のリムに接触し、他の一方のブレーキ装置が未だに車輪のリムに接触しない場合、前記連動ワイヤ２０は前記接触部品１１上でローリング或いはスライディングして、前記連動ワイヤ２０の両端の制動力が自動的に平衡状態に至るまで前記接触部品１１上でローリング或いはスライディングし、これによって、前記前後ブレーキ装置３０，４０のブレーキ作動を一致させることができる。
【００１３】
図１に示す如く、前記連動機構１０の下方の両側には夫々固定した第１及び第２のガイド部品３１，４１が設置されている。該第１及び第２のガイド部品３１，４１は、ガイドチューブで、前記連動ワイヤ２０は自転車の前ブレーキ装置３０から前記ガイド部品３１を突き抜けた後、前記接触部品１１をまわり越して、更に、前記第２ガイド部品４１を突き抜けて後ブレーキ装置４０と連接している。
【００１４】
前記第１及び第２のガイド部品３１，４１のガイド作用によって、前記連動ワイヤ２０が前記連動機構１０に作動された時、その角度は前記接触部品１１の上下移動に伴って変化を起すことがなく、故に前記連動ワイヤ２０が前記前後ブレーキ装置３０，４０を作動している時、直線状態を保持することができる。かくして、前記連動機構１０が前記連動ワイヤ２０に加える力の損失を最小限にとどめることができて、前後ブレーキ装置３０，４０の作動の確実性を増進することができる。
【００１５】
更に又、ブレーキの反応時間を短縮することができる。又、同時に前記連動ワイヤ２０の作動時に生じるねじれによる変形と磨耗の損失を減少することができる。これにより、前記連動ワイヤ２０の疲労による破損の程度を低減し、その使用寿命を増進することができると共に、前記連動ワイヤ２０が突然に断裂して危険が生じることから免れることができる。
【００１６】
前記前部接触部品１１はローリングホイールを採用している。但し、実際に使用する場合、円柱体を採用することもできる。或いは、前記連動ワイヤ２０との摩擦力を減少できるその他の構造で代替えすることもできる。之等は同様に、前記連動ワイヤ２０をしてスライディングによって両端の牽引力及び作動時間の調整をすることができる。この外、前記第１及び第２のガイド部品３１，４１は必ずしもガイドチューブに限る必要はなく、ローリングホイール或いはその他の同等効果を果たすことができる部品で代替えすることができる。
【００１７】
図３は、本発明の前記連動ワイヤ２０と前記前後ブレーキ装置３０，４０との連接構造を示す。前記前ブレーキ装置３０は左右キャリパー３２，３３を具有していて、前記左右キャリパー３２，３３の頂端は牽引ワイヤ３４で連接している。その主要特徴は、前記連動ワイヤ２０の末端には牽引構成部品２３が設置されている。該牽引構成部品２３は牽引部品２４を有していて、該牽引部品２４は前記牽引ワイヤ３４を作動することができる。前記連動ワイヤ２０が収縮した時、前記牽引構成部品２３を作動して上向きに移動し、且つ、前記牽引構成部品２３の前記牽引部品２４によって前記牽引ワイヤ３４を作動して上向きに移動させ、かくして前記左右キャリパー３２，３３を作動してブレーキの作動を発生させることができる。
【００１８】
前記牽引部品２４は滑車或いは円柱体の構造を採用することができる。よって、前記牽引ワイヤ３４と前記牽引部品２４は相互にローリング或いはスライディングすることができて、前記牽引ワイヤ３４はこれにより摩擦力の影響を受けることがなく、このため本発明の前後ブレーキ装置がブレーキをかけた時、若し前記左右キャリパー３２，３３と自転車のリムとの接触時間或いは接触圧力が異なる時は、前記牽引ワイヤ３４は前記牽引部品２４上でスライディングする故、前記左右キャリパー３２，３３とリムとの接触時間を一致させることができると共に圧力も均一になることを達成することができる。
【００１９】
此処で強調しておくことは、本発明の同期平衡ブレーキ装置は只キャリパー式ブレーキ装置と配合して使用するのみでなく、ハブ式或いはその他の形式のブレーキ装置とも配合して使用することができる。
【００２０】
又、図４は本発明の第２の実施の形態を示す。同図に於ける実施の形態は連動機構１０Ａと、連動ワイヤ２０を含んでいる。その中、該連動機構１０Ａは大略Ｌ字形を呈したロッカーアーム１１Ａで、伝動アーム１１１Ａ及び従動アーム１１２Ａを具有している。前記連動機構１０Ａの中段部分は枢軸１２Ａでもって自転車のフレームに取り付けている。
【００２１】
その中、前記伝動アーム１１１Ａは自転車の左右ブレーキハンドルのブレーキワイヤ５１Ａ，５２Ａと連接することができ、且つ、前記ブレーキワイヤ５１Ａ，５２Ａに作動されて揺動を発生する。又、接触部品１３Ａがあって、前記従動アーム１１２Ａの末端にピボットされている。該接触部品１３Ａは滑車或いは円柱状の構造で、且つ、ローリング或いはスライディングの方式で前記連動ワイヤ２０の中段部分と接触している。更に、ガイド部品１４Ａ，１５Ａが前記接触部品１３Ａの両側に設置されていて、前記連動ワイヤ２０の位置決めに用いる。
【００２２】
前記ガイド部品１４Ａ，１５Ａは前記第１の実施の形態の第１，２ガイド部品３１，４１と同等効果を果たす部品で、前記連動ワイヤ２０とスライディング或いはローリングの方式で接触することができる上、前記接触部品１３Ａに作動された時、前記連動ワイヤ２０をガイドして一定の径路を保持し、前記連動ワイヤ２０の受ける摩擦力を減少し得て前記連動ワイヤ２０の摩耗による破断を防止することができる。
【００２３】
図５に示す如く、前記ロッカーアーム１１Ａが前記ブレーキワイヤ５１Ａ，５２Ａに駆動されて揺動した時、前記接触部品１３Ａは前記従動アーム１１２Ａに従って上向きに一緒に移動し、前記連動ワイヤ２０の中段部分も前記接触部品１３Ａに連動されて上向きに移動する。
【００２４】
本発明の前記第２の実施の形態の連動機構１０Ａと、前記連動機構とを比較すると、これは本来の直線移動の動作を揺動の動作に変化し、且つ、可動部品が減少し、かくして、機構の作動信頼性を向上し得て、その故障の低減をすることができる所にある。
【００２５】
図６に示す如く、本発明の第３の実施の形態の連動機構１０Ｂは、ロッカーアーム１１Ｂを具備している。前記ロッカーアーム１１Ｂは大略直棒状を呈し、その中央は枢軸１４Ｂで自転車のフレーム上にピボットジョイントで連接されており、且つ、その上下両端には夫々接触部品１２Ｂ，１３Ｂが設置されている。又、その最頂端は自転車の左右ブレーキハンドルの前記ブレーキワイヤ５１Ａ，５２Ａと連接している。よって、前記ロッカーアーム１１Ｂは前記ブレーキワイヤ５１Ａ，５２Ａに作動されて揺動運動を発生する。更に、固定板１５Ｂが自転車のフレーム上に装置されていて、前記ロッカーアーム１１Ｂ及び前後ブレーキの前記ガイド部品３１，４１を固定するのに用いる。
【００２６】
前記連動ワイヤ２０の中段部分は自転車の前ブレーキ装置３０の前記ガイド部品３１から突き抜けて、前記ロッカーアーム１１Ｂ下方の前記接触部品１３Ｂをまわり越した後、更に上向きに前記ロッカーアーム１１Ｂ上方の前記接触部品１２Ｂをまわり通って、後向きに延伸して前記自転車の後ブレーキ装置４０の前記ガイド部品４１を突き通って、再び前記自転車の後ブレーキ装置４０と連接するようになっている。
【００２７】
図７に示す如く、前記ブレーキワイヤ５１Ａ，５２Ａは前記ロッカーアーム１１Ｂの頂端を前向きに作動することができる。これにより、前記ロッカーアーム１１Ｂの上下端の前記接触部品１２Ｂ，１３Ｂは前記ロッカーアーム１１Ｂに従って揺動する。かくして、前記連動ワイヤ２０の前後端は夫々中央方向に引っ張られ、この為、前記自転車の前後ブレーキ装置は前記連動ワイヤ２０に作動されて、ブレーキの作動を発生する。
【００２８】
本発明の第２の実施の形態及び第３の実施の形態の前記連動機構１０Ａ，１０Ｂと前記連動機構１０を比較すると、これは、本来の直線移動の動作を揺動の動作に変化し、且つ、可動性部品が減少し、これにより機構の作動信頼性を向上し得て、その故障率の低減を得ることができる所にある。
【００２９】
この外、前記連動ワイヤが断裂した後、前記前後ブレーキ装置３０，４０が同時に失効する状況の発生を防止する為、本発明は二つの連動ワイヤの構造を採用することができる。又、図８は本発明の第４の実施の形態を示す。該第４の実施の形態は、前記第１の実施の形態の連動機構１０を改良したものである。それは、二本の並列した連動ワイヤ２０Ａ，２０Ｂを具有し、且つ、前記接触部品１１の上に二つの滑り溝１１１，１１２を設置し、前記連動ワイヤ２０Ａ，２０Ｂを前記二つの滑り溝１１１，１１２にはめ合わすことによって、前記二つの連動ワイヤ２０Ａ，２０Ｂは同時に前記接触部品１１によって作動されることができる。
【００３０】
この外、図９及び図１０は本発明の第５及び第６の実施の形態を示す。図９に示す如く、本発明の第５の実施の形態は、前記第２の実施の形態の同期平衡ブレーキ装置に基づいて改良したもので、二本の並列した連動ワイヤ２０Ａ，２０Ｂを具有し、且つ、その使用する接触部品１３Ａの上には二つの滑り溝１３１Ａ，１３２Ａが設置されている。又、ガイド部品１４Ａの上にも二つの滑り溝１４１Ａ，１４２Ａが設置されている。更に、ガイド部品１５Ａの上にも二つの滑り溝１５１Ａ，１５２Ａが設置されている。よって、前記接触部品１３Ａと前記ガイド部品１４Ａ，１５Ａは同時に前記二つの連動ワイヤ２０Ａ，２０Ｂをガイドすることができる。
【００３１】
又、前記第６の実施の形態は、前記第３の実施の形態の同期平衡ブレーキ装置を二つの連動ワイヤの構造に変更したものである。その使用する接触部品１２Ｂの上に二つの滑り溝１２１Ｂ，１２２Ｂが設置されており、且つ、接触部品１３Ｂの上にも二つの滑り溝１３１Ｂ，１３２Ｂが設置されている。前記連動ワイヤ２０Ａ，２０Ｂは前記滑り溝１２１Ｂ，１２２Ｂ及び前記接触部品１３Ｂ上の前記滑り溝１３１Ｂ，１３２Ｂにはめ合わされている。よって、前記二つの連動ワイヤ２０Ａ，２０Ｂは同時に前記接触部品１２Ｂと前記接触部品１３Ｂによって作動されることができる。
【００３２】
本発明の第４，第５及び第６の実施の形態は共に二つの連動ワイヤ２０Ａ，２０Ｂを具有しており、且つ、前記連動ワイヤ２０Ａ，２０Ｂは同時に自転車の前後ブレーキ装置３０，４０と連接している。よって、若し、前記連動ワイヤ２０Ａ，２０Ｂの中、一本が断裂した時、他の一本の連動ワイヤは依然として前記前後ブレーキ装置を駆動することができる。故に、前記連動ワイヤの断裂による前記前後ブレーキ装置が同時に作用しない危険性から免れ、本発明の自転車の同期平衡ブレーキ装置の安全性を増進することができる。
【００３３】
本発明の自転車の同期平衡ブレーキ装置の主要な効果は、その連動機構と連動ワイヤが滑車の方式或いはその他摩擦力の比較的小さいローリング或いはスライディングの方式で連接している所にある。かくして、前記連動ワイヤ２０が自転車の前後ブレーキ装置を作動した時、若し、前記前後ブレーキ装置３０，４０と自転車の車輪のリムとの接触する時間が不一致であった場合、前記連動ワイヤ２０は前記連動機構の滑車とスライディングを起こし、前記連動ワイヤ２０の両端の牽引力を自動的に平衡にし得て、前記前後ブレーキ装置３０，４０がリムと接触する時間を一致させることができる。よって、前記前後ブレーキ装置３０，４０の作動時間の不一致及び一方のブレーキ装置は既にリムに咬みつき、他の一方のリムは未だに転動している状態をまねくことが起こらない。故に、自転車はブレーキ時に起こる横滑り及び転覆の危険から免れることができる。
【００３４】
【発明の効果】
本発明の自転車の同期平衡ブレーキ装置は確実に自転車のブレーキ性能、ブレーキの安定性及び安全性を増進する上、構造が簡単で、機構の作動も安定等の効果を奏するものである。
【図面の簡単な説明】
【図１】本発明の第１の実施の形態を示す正面図。
【図２】本発明の装置を取り付けている自転車の側面図。
【図３】本発明の使用したブレーキ装置及び連動ワイヤの連接構造図。
【図４】本発明第２の実施の形態の構造を示す解説図。
【図５】本発明第２の実施の形態の作動状態を示す解説図。
【図６】本発明第３の実施の形態を示す解説図。
【図７】本発明第３の実施の形態の作動状態を示す解説図。
【図８】本発明第４の実施の形態の側面図。
【図９】本発明第５の実施の形態を示し、その平面図。
【図１０】本発明第６の実施の形態の平面図。
【図１１】従用のキャリパー式ブレーキ装置と連動ワイヤの連接構造を示し、その正面図。
【符号の説明】
１              自転車
２              左ブレーキハンドル
３              右ブレーキハンドル
１０，１０Ａ，１０Ｂ  連動機構
１１              接触部品
１１Ａ，１１Ｂ    ロッカーアーム
１２              接触部品
１２Ａ            枢軸
１２Ｂ            接触部品
１３              駆動構成部品
１３Ａ            接触部品
１３Ｂ            接触部品
１４Ａ            ガイド部品
１４Ｂ            枢軸
１５Ａ            ガイド部品
１５Ｂ            固定板
２０              連動ワイヤ
２０Ａ，２０Ｂ    連動ワイヤ
２３              牽引構成部品
２４              牽引部品
３０              前ブレーキ装置
３１              ガイド部品
３２              左キャリパー
３３              右キャリパー
３４              牽引ワイヤ
４０              後ブレーキ装置
４１              ガイド部品
５１Ａ，５２Ａ    ブレーキワイヤ
６０              ブレーキ装置
６１              左キャリパー
６２              右キャリパー
６３              牽引ワイヤ
６４              連動ワイヤ
６５              鈎
１１１Ａ            伝動アーム
１１２Ａ            従動アーム
１１１，１１２        滑り溝
１３１Ａ，１３２Ａ    滑り溝
１３１Ｂ，１３２Ｂ    滑り溝
１４１Ａ，１４２Ａ    滑り溝
１５１Ａ，１５２Ａ    滑り溝
【図１】
0003588422.tif 000002
【図２】
0003588422.tif 000003
【図３】
0003588422.tif 000004
【図４】
0003588422.tif 000005
【図５】
0003588422.tif 000006
【図６】
0003588422.tif 000007
【図７】
0003588422.tif 000008
【図８】
0003588422.tif 000009
【図９】
0003588422.tif 000010
【図１０】
0003588422.tif 000011
【図１１】
0003588422.tif 000012